(57)【要約】  他の通信制御装置からスロットの設定及び前記設定の中で書き換え可能なスロットに関する情報、並びに、自局の周囲の電波環境に関する情報を取得する取得部と、前記電波環境に関する情報に基づいて、前記書き換え可能なスロットの中から書き換えるスロットを選択して書き換える設定部と、前記設定部が書き換えたスロットに基づいて通信を実行する通信制御部と、を備える、通信制御装置が提供される。
2020144944.tif 000002
【特許請求の範囲】
【請求項１】
他の通信制御装置からスロットの設定及び前記設定の中で書き換え可能なスロットに関する情報、並びに、自局の周囲の電波環境に関する情報を取得する取得部と、
前記電波環境に関する情報に基づいて、前記書き換え可能なスロットの中から書き換えるスロットを選択して書き換える設定部と、
前記設定部が書き換えたスロットに基づいて通信を実行する通信制御部と、
を備える、通信制御装置。
【請求項２】
前記取得部は、前記電波環境に関する情報として、自局がアップリンクで通信する他の通信制御装置に割り当てられたスロットの設定を取得する、請求項１に記載の通信制御装置。
【請求項３】
前記取得部は、前記電波環境に関する情報として、自局がダウンリンクで通信する他の通信制御装置に割り当てられたスロットの設定を取得する、請求項１に記載の通信制御装置。
【請求項４】
前記取得部は、前記電波環境に関する情報として、自局がサイドリンクで通信する他の通信制御装置に割り当てられたスロットの設定を取得する、請求項１に記載の通信制御装置。
【請求項５】
前記取得部は、前記電波環境に関する情報として、自局がリンクしていない近隣の他の通信制御装置に割り当てられたスロットの設定を取得する、請求項１に記載の通信制御装置。
【請求項６】
前記取得部は、前記電波環境に関する情報として、他の通信制御装置の位置情報を取得する、請求項１に記載の通信制御装置。
【請求項７】
前記取得部は、前記電波環境に関する情報として、他の通信制御装置の通信リソースの使用率の情報を取得する、請求項１に記載の通信制御装置。
【請求項８】
前記取得部は、前記電波環境に関する情報として、他の通信制御装置のビームフォーミングに関する情報を取得する、請求項１に記載の通信制御装置。
【請求項９】
前記取得部は、前記電波環境に関する情報として、他の通信制御装置での干渉の発生に関する情報を取得する、請求項１に記載の通信制御装置。
【請求項１０】
前記干渉の発生に関する情報は、ＡＣＫ及びＮＡＣＫの発生割合に関する情報である、請求項９に記載の通信制御装置。
【請求項１１】
前記取得部は、前記電波環境に関する情報として、他の通信制御装置の能力に関する情報を取得する、請求項１に記載の通信制御装置。
【請求項１２】
前記設定部は、他の装置とのリンクの優先度を考慮して書き換えるスロットを選択する、請求項１に記載の通信制御装置。
【請求項１３】
前記設定部は、トラフィックの品質を考慮して書き換えるスロットを選択する、請求項１に記載の通信制御装置。
【請求項１４】
前記設定部は、パケットのエラーレートを下げるよう書き換えるスロットを選択する、請求項１に記載の通信制御装置。
【請求項１５】
前記設定部は、自局の干渉を最小化するよう書き換えるスロットを選択する、請求項１に記載の通信制御装置。
【請求項１６】
前記設定部は、通信相手への干渉を最小化するよう書き換えるスロットを選択する、請求項１に記載の通信制御装置。
【請求項１７】
前記通信制御部は、書き換えたスロットに関する情報を他の装置へ通知する制御を行う、請求項１に記載の通信制御装置。
【請求項１８】
プロセッサが、
他の通信制御装置からスロットの設定及び前記設定の中で書き換え可能なスロットに関する情報、並びに、自局の周囲の電波環境に関する情報を取得することと、
前記電波環境に関する情報に基づいて、前記書き換え可能なスロットの中から書き換えるスロットを選択して書き換えることと、
書き換えられた前記スロットに基づいて通信を実行することと、
を含む、通信制御方法。
【請求項１９】
コンピュータに、
他の通信制御装置からスロットの設定及び前記設定の中で書き換え可能なスロットに関する情報、並びに、自局の周囲の電波環境に関する情報を取得することと、
前記電波環境に関する情報に基づいて、前記書き換え可能なスロットの中から書き換えるスロットを選択して書き換えることと、
書き換えられた前記スロットに基づいて通信を実行することと、
を実行させる、コンピュータプログラム。
【発明の詳細な説明】
【技術分野】
【０００１】
本開示は、通信制御装置、通信制御方法及びコンピュータプログラムに関する。
【背景技術】
【０００２】
近年、ＩｏＴ（Internet  of  Things）関連の開発が盛んに行われている。ＩｏＴでは、様々な物がネットワークに接続されて情報交換を行うため、無線通信が重要な技術テーマになっている。そのため、３ＧＰＰ（Third  Generation  Partnership  Project）では、ＭＴＣ（Machine  Type  Communication）及びＮＢ−ＩｏＴ（Narrow  Band  IoT）といった、小パケット、低消費電力又は低コストを実現するＩｏＴ向け通信の規格化が行われている。【０００３】
ＩｏＴ向け通信においては、なるべく低消費電力で広いカバレッジが確保されることが望ましい。ただし、典型的には、消費電力とカバレッジとの間にはトレードオフの関係があるため、カバレッジを広く確保しようとすると、どうしても消費電力が多くなってしまう。そこで、低消費電力と広いカバレッジとを両立させるための技術のひとつとして、基地局のようなエンティティを持つリレーノードによる通信のリレーが検討されている。【０００４】
例えば、下記特許文献１では、セル内の端末装置がセル外の端末装置と基地局との通信をリレーする技術が開示されている。【０００５】
また近年ではＩＡＢ（Integrated  Access  and  Backhaul  link）と呼ばれる、バックホールリンクとアクセスリンクの統合を目的とした通信が提案され、ＩＡＢにおいても通信のリレーが検討されている。
【先行技術文献】
【特許文献】
【０００６】
【特許文献１】特開２０１６−９６４８９号公報
【発明の概要】
【発明が解決しようとする課題】
【０００７】
リレーノードのような、通信をリレーする端末がモビリティを有する場合、ローカルの環境がより動的に変化するため、無線通信環境も反射や干渉といった要素により大きく変動することが予想される。従って、その変動を考慮したリソースの割り当てが求められる。【０００８】
そこで、本開示では、通信をリレーする端末がモビリティを有する場合を考慮し、ローカルの環境の変動を考慮したリソースを効率的に割り当てることが可能な、新規かつ改良された通信制御装置、通信制御方法及びコンピュータプログラムを提案する。
【課題を解決するための手段】
【０００９】
本開示によれば、他の通信制御装置からスロットの設定及び前記設定の中で書き換え可能なスロットに関する情報、並びに、自局の周囲の電波環境に関する情報を取得する取得部と、前記電波環境に関する情報に基づいて、前記書き換え可能なスロットの中から書き換えるスロットを選択して書き換える設定部と、前記設定部が書き換えたスロットに基づいて通信を実行する通信制御部と、を備える、通信制御装置が提供される。【００１０】
また、本開示によれば、プロセッサが、他の通信制御装置からスロットの設定及び前記設定の中で書き換え可能なスロットに関する情報、並びに、自局の周囲の電波環境に関する情報を取得することと、前記電波環境に関する情報に基づいて、前記書き換え可能なスロットの中から書き換えるスロットを選択して書き換えることと、書き換えられた前記スロットに基づいて通信を実行することと、を含む、通信制御方法が提供される。【００１１】
また、本開示によれば、コンピュータに、他の通信制御装置からスロットの設定及び前記設定の中で書き換え可能なスロットに関する情報、並びに、自局の周囲の電波環境に関する情報を取得することと、前記電波環境に関する情報に基づいて、前記書き換え可能なスロットの中から書き換えるスロットを選択して書き換えることと、書き換えられた前記スロットに基づいて通信を実行することと、を実行させる、コンピュータプログラムが提供される。
【図面の簡単な説明】
【００１２】
【図１】ＩＡＢの概要を示す説明図である。
【図２】ＩＡＢのユースケース例を示す説明図である。
【図３】ＩＡＢのアーキテクチャ例を示す説明図である。
【図４】ＩＡＢ−ｎｏｄｅの関係を示す説明図である。
【図５】本実施形態に係る通信制御装置の構成の一例を示すブロック図である。
【図６】本実施形態に係る端末装置の構成の一例を示すブロック図である。
【図７】本開示の実施の形態に係る通信制御装置の動作の概要を示す説明図である。
【図８】本開示の実施の形態に係る通信制御装置の動作の概要を示す説明図である。
【図９Ａ】本開示の実施の形態の動作例を示す流れ図である。
【図９Ｂ】本開示の実施の形態の動作例を示す流れ図である。
【図１０】本開示の実施の形態の動作例を示す流れ図である。
【図１１】ｅＮＢの概略的な構成の第１の例を示すブロック図である。
【図１２】ｅＮＢの概略的な構成の第２の例を示すブロック図である。
【図１３】スマートフォンの概略的な構成の一例を示すブロック図である。
【図１４】カーナビゲーション装置の概略的な構成の一例を示すブロック図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．本開示の実施の形態
１．１．経緯
１．２．構成例
１．３．動作例
２．応用例
３．まとめ
【００１５】
＜１．本開示の実施の形態＞
［１．１．経緯］
本開示の実施の形態について詳細に説明する前に、まず本開示の実施の形態に至った経緯について説明する。
【００１６】
近年、ＩＡＢと呼ばれる、バックホールリンクとアクセスリンクの統合を目的とした通信が提案されている。図１は、ＩＡＢの概要を示す説明図である。図１には３つの基地局１００ａ、１００ｂ、１００ｃと、各基地局１００ａ、１００ｂ、１００ｃと通信する端末２００ａ、２００ｂ、２００ｃが示されている。基地局１００ａは、光ファイバケーブルでコアネットワークと接続しており、基地局１００ｂ、１００ｃとの間でバックホールリンクが確立されている。図１の例では、端末２００ａは、基地局１００ａだけでなく、基地局１００ｂとの間でアクセスリンクが確立されている。
【００１７】
ＩＡＢにおいても通信のリレーが検討されている。ＩＡＢでは、従来のＴＤＭ（Time  Division  Multiplexing；時分割多重化）だけでなくＦＤＭ（Frequency  Division  Multiplexing；周波数分割多重化）、ＳＤＭ（Space  Division  Multiplexing；空間分割多重化）を用いて、バックホールリンクとアクセスリンクを直交させる。ＩＡＢでは、特にミリ波を用いた通信を想定している。ミリ波を用いた通信はカバレッジが問題となるが、ＩＡＢのようなリレー通信を用いることで、ミリ波を用いた通信においてカバレッジの拡大を効率的に行えるようになる。ＩＡＢではマルチホップも想定しており、メッシュタイプの配置も想定されている。
【００１８】
図２は、ＩＡＢのユースケース例を示す説明図である。ＩＡＢはミリ波通信を用いたネットワーク構成だけでなく、例えば車にＩＡＢノードを載せた車両テザリング（Vehicle  tethering）や電車にＩＡＢノードを載せたムービングセル、ドローンなどの飛行体にＩＡＢノードを載せたドローンセルなどにも適用することができる。その他にも、ＩＡＢはＩｏＴ向け通信にも適用することが想定される。特にＩＡＢは、スマートフォンとウェアラブル機器を接続するウェアラブル向けテザリング通信などにも適用することが可能である。ＩＡＢは、その他にも医療やファクトリーオートメーションといった領域にも適用することが可能となる。もちろん図２に示したユースケースは一例に過ぎず、図２に示したユースケース以外にもＩＡＢは適用されうる。
【００１９】
図３は、ＩＡＢのアーキテクチャ例を示す説明図である。ＩＡＢ−ｄｏｎｏｒは、ｇＮＢのような基地局が想定されており、コアネットワーク（ＣＮ）と接続されている。ＩＡＢ−ｄｏｎｏｒは、中央機能（Centralized  Unit；ＣＵ）と、基地局機能（Distributed  Unit；ＤＵ）を有する。ＩＡＢ−ｄｏｎｏｒの配下にＩＡＢ−ｎｏｄｅ（リレーノード）が存在し、ＩＡＢ−ｎｏｄｅが複数マルチホップを構成しながら無線にて接続されていく。各ＩＡＢ−ｎｏｄｅは、ユーザ端末（ＵＥ）とアクセスリンクで接続する。ＩＡＢ−ｎｏｄｅは、バックホールリンクの冗長性を向上させるために、複数のＩＡＢ−ｎｏｄｅと接続してもよい。ＩＡＢ−ｎｏｄｅはユーザ端末の機能（Mobile  Terminal；ＭＴ）と基地局機能（Distributed  Unit；ＤＵ）から構成される。つまり、バックホールリンクにおいてダウンリンク受信、アップリンク送信の際は、ＩＡＢ−ｎｏｄｅはＭＴとして動作し、ダウンリンク送信、アップリンク受信の際はＩＡＢ−ｎｏｄｅはＤＵとして動作する。ユーザ端末からは、ＩＡＢ−ｎｏｄｅは通常の基地局のように見えるため、レガシー端末であってもＩＡＢネットワークに接続することが可能である。なお、ＩＡＢ−ｎｏｄｅはＭＴ及びＤＵから構成される場合に限られない。ＩＡＢ−ｎｏｄｅは、上位のＩＡＢ−ｎｏｄｅからのダウンリンクを受信するＭＴと、サイドリンクを送信するＭＴとからなる構成であってもよい。
【００２０】
ＩＡＢ−ｎｏｄｅは、ＤＵとＭＴの機能を両方具有している場合がある。その場合、ＩＡＢ  ｎｏｄｅのアップリンク送信はＭＴとして動作するため、使用するアップリンクリソースは、親のＩＡＢ−ｎｏｄｅより割り当てられる。一方でＩＡＢ  ｎｏｄｅのダウンリンク送信はＤＵとして動作するため、使用するダウンリンクリソースは、自身のＩＡＢ−ｎｏｄｅによりより割り当てられる。図４は、ＩＡＢ−ｎｏｄｅの関係を示す説明図である。ＩＡＢ−ｎｏｄｅは、通常、親ＩＡＢであるＩＡＢ−ｐａｒｅｎｔと、子ＩＡＢであるＩＡＢ−ｃｈｉｌｄとのリンクを保有する。また、通常のユーザ端末とのリンクも保有する。ＩＡＢ間のリンクはバックホールリンクであり、ユーザ端末向けのリンクはアクセスリンクとなる。
【００２１】
リソース割り当てを行う際には、まずリソース管理者の定義を行う必要がある。ＩＡＢにおいては、ＩＡＢ−ｄｏｎｏｒが全てのリソース割り当てを行うCentralized  mannerと、ＩＡＢ−Ｎｏｄｅが各自でリソースを管理するDistributed  mannerと、親ＩＡＢ−ｎｏｄｅが子のＩＡＢ−ｎｏｄｅのリソースを管理するHierarchal  mannerと、が挙げられる。Centralized  manner、Distributed  manner、及びHierarchal  mannerは、組み合わせて使用されてもよい。例えばアップリンクとダウンリンクとのフレームフォーマット構成をある程度ＩＡＢ−ｄｏｎｏｒが決定し、各ＩＡＢ−ｎｏｄｅにおいて設定できるエリアを残しておき、ＩＡＢ−ｎｏｄｅの各自の判断でフレームフォーマットの書き換えを行うようなやり方も可能である。
【００２２】
ＩＡＢでは、将来的にＩＡＢ−ｎｏｄｅがモビリティを持つことが考えられる。この場合、ローカルの環境がより動的に変化するため、電波の反射や干渉といった要素により無線通信環境も大きく変動することが予想される。一方で、ＩＡＢのリソース割当では、ある程度スロットフォーマットをＩＡＢ−ｄｏｎｏｒで設定し、アップリンク及びダウンリンクの構成を決定することが予想される。
【００２３】
ＩＡＢ−ｎｏｄｅはＩＡＢ−ｄｏｎｏｒにより指示されたスロットフォーマット設定を用いて通信を行う。この場合、比較的大きなＩＡＢネットワークを想定すると、ＩＡＢ−ｄｏｎｏｒがＩＡＢ−ｎｏｄｅのローカル無線通信環境を正しく認識できない場合がでてくる。つまり、より柔軟なリソース割当変更がローカルエリアには求められる。一方で、Distributed  mannerのようなリソース割り当てを行ってしまうと、隣接ＩＡＢ−ｎｏｄｅ間での調整がうまくいかず、干渉が発生してしまう可能性がある。そのため、ＩＡＢ−ｄｏｎｏｒによりある程度設定したスロットフォーマットをベースに、ローカルで周辺の環境に応じて動的に割り当て変更を行うことができる仕組みが求められる。
【００２４】
そこで本件開示者は、以下で説明するように、ＩＡＢ−ｄｏｎｏｒによりある程度設定したスロットフォーマットをベースに、ローカルで周辺の環境に応じて動的に割り当て変更を行うことが可能な技術を考案するに至った。
【００２５】
［１．２．構成例］
（１．２．１．通信制御装置の構成例）
図５は、本実施形態に係る通信制御装置１００の構成の一例を示すブロック図である。通信制御装置１００はＩＡＢ−ｄｏｎｏｒやＩＡＢ−ｎｏｄｅの一例であり、図５を参照すると、通信制御装置１００は、アンテナ部１１０、無線通信部１２０、ネットワーク通信部１３０、記憶部１４０及び制御部１５０を備える。
【００２６】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００２７】
とりわけ、本実施形態では、アンテナ部１１０は、複数のアンテナ素子を有し、ビームを形成することが可能である。
【００２８】
（２）無線通信部１２０
無線通信部１２０は、信号を送受信する。例えば、無線通信部１２０は、端末装置へのダウンリンク信号を送信し、端末装置からのアップリンク信号を受信する。
【００２９】
とりわけ、本実施形態では、無線通信部１２０は、アンテナ部１１０により複数のビームを形成して端末装置と通信することが可能である。
【００３０】
ここで、本実施形態では、アンテナ部１１０及び無線通信部１２０は、図６を参照して上記説明した、アナログ−デジタルハイブリットアンテナアーキテクチャのアンテナパネル７０を複数含んで構成される。例えば、アンテナ部１１０は、アンテナ７２に相当する。また、例えば、無線通信部１２０は、デジタル回路５０、アナログ回路６０、及びフェイズシフター７１に相当する。
【００３１】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００３２】
（４）記憶部１４０
記憶部１４０は、通信制御装置１００の動作のためのプログラム及び様々なデータを一時的に又は恒久的に記憶する。
【００３３】
（５）制御部１５０
制御部１５０は、通信制御装置１００全体の動作を制御して、通信制御装置１００の様々な機能を提供する。本実施形態では、制御部１５０は、設定部１５１と、通信制御部１５３と、を含んで構成される。
【００３４】
設定部１５１は、通信制御装置１００と、別の通信制御装置１００との間、または、通信制御装置１００と端末装置２００との間の無線通信に関する種々の設定を行う。通信制御部１５３は、設定部１５１の設定に基づいて無線通信部１２０から信号を送出するための通信制御処理を実行する。
【００３５】
例えば、無線通信部１２０は、他の通信制御装置１００（ＩＡＢ−ｎｏｄｅ）からスロットの設定及び設定の中で書き換え可能なスロットに関する情報、並びに、自局の周囲の電波環境に関する情報を取得する。従って無線通信部１２０は、本開示の取得部の一例として機能しうる。設定部１５１は、無線通信部１２０が取得した電波環境に関する情報に基づいて、書き換え可能なスロットの中から書き換えるスロットを選択して書き換える。そして通信制御部１５３は、設定部１５１が書き換えたスロットに基づいて無線通信を実行する。
【００３６】
制御部１５０は、これらの構成要素以外の他の構成要素をさらに含み得る。即ち、制御部１５０は、これらの構成要素の動作以外の動作も行い得る。
【００３７】
（１．２．２．端末装置の構成例）
図６は、本実施形態に係る端末装置２００の構成の一例を示すブロック図である。図６を参照すると、端末装置２００は、アンテナ部２１０、無線通信部２２０、記憶部２３０及び制御部２４０を備える。
【００３８】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００３９】
とりわけ、本実施形態では、アンテナ部２１０は、複数のアンテナ素子を有し、ビームを形成することが可能である。
【００４０】
（２）無線通信部２２０
無線通信部２２０は、信号を送受信する。例えば、無線通信部２２０は、基地局からのダウンリンク信号を受信し、基地局へのアップリンク信号を送信する。
【００４１】
とりわけ、本実施形態では、無線通信部２２０は、アンテナ部２１０により複数のビームを形成して基地局と通信することが可能である。
【００４２】
ここで、本実施形態では、アンテナ部２１０及び無線通信部２２０は、図６を参照して上記説明した、アナログ−デジタルハイブリットアンテナアーキテクチャのアンテナパネル７０を複数含んで構成される。例えば、アンテナ部２１０は、アンテナ７２に相当する。また、例えば、無線通信部２２０は、デジタル回路５０、アナログ回路６０、及びフェイズシフター７１に相当する。
【００４３】
（３）記憶部２３０
記憶部２３０は、端末装置２００の動作のためのプログラム及び様々なデータを一時的に又は恒久的に記憶する。
【００４４】
（４）制御部２４０
制御部２４０は、端末装置２００全体の動作を制御して、端末装置２００の様々な機能を提供する。本実施形態では、制御部２４０は、取得部２４１と、通信制御部２４３と、を含んで構成される。
【００４５】
取得部２４１は、通信制御装置１００と端末装置２００との間の無線通信によって通信制御装置１００から送信される情報を取得する。通信制御部２４３は、取得部２４１が取得した情報に基づいて無線通信部２２０から信号を送出するための通信制御処理を実行する。
【００４６】
制御部２４０は、これらの構成要素以外の他の構成要素をさらに含み得る。即ち、制御部２４０は、これらの構成要素の動作以外の動作も行い得る。
【００４７】
［１．３．動作例］
続いて、本開示の実施の形態に係る通信制御装置１００の動作例について説明する。本開示の実施の形態に係る通信制御装置１００は、ＩＡＢ−ｎｏｄｅにおいて設定されたスロットフォーマット設定を、周辺環境認知を用いて書き換えることを特徴とする。
【００４８】
図７は、本開示の実施の形態に係る通信制御装置１００の動作の概要を示す説明図である。本開示の実施の形態に係る通信制御装置１００は、（１）スロットフォーマット設定、（２）周辺環境認知、（３）スロット書き換え、の３つの動作を実行する。以下、順を追って通信制御装置１００の動作について説明する。
【００４９】
（１）スロットフォーマット設定
ＩＡＢ−ｎｏｄｅは、まずＩＡＢ−ｄｏｎｏｒよりSlot  format  configurationを設定される。この際、ＩＡＢ−ｄｏｎｏｒはＵＬ／ＤＬ／Ｆの構成をセミスタティックに設定する。なおＩＡＢ−ｄｏｎｏｒ以外でも、ＩＡＢ−ｐａｒｅｎｔや、ＩＡＢ−ｎｏｄｅの中の代表ノードなどによって設定が行われてもよい。
【００５０】
時間リソースの定義を示す。ＭＴ視点、すなわちＩＡＢ−ｐａｒｅｎｔ向けのリンクの場合は、ダウンリンク（DL）リソース（Ｄ）、アップリンク（UL）リソース（Ｕ）、サイドリンク（SL）リソース（Ｓ）、フレキシブルリソース（Ｆ）が含まれる。サイドリンクリソースは、ＭＴとなるＩＡＢ−ｎｏｄｅのリンクに用いられるリソースである。フレキシブルリソースは、ダウンリンクリソース、アップリンクリソース、サイドリンクリソースのいずれかが含まれうる。
【００５１】
一方、ＤＵ視点、すなわちＩＡＢ−ｃｈｉｌｄ向けのリンクの場合は、ダウンリンク（DL）リソース、アップリンク（UL）リソース、サイドリンク（SL）リソース、フレキシブルリソースが含まれる。サイドリンクリソースは、ＭＴとなるＩＡＢ−ｎｏｄｅのリンクに用いられるリソースである。フレキシブルリソースは、ダウンリンクリソース、アップリンクリソース、サイドリンクリソース、Not  availableリソース（ＮＡ，ＩＡＢ−ｃｈｉｌｄ向けのリンクに使用されないリソース）のいずれかが含まれうる。
【００５２】
ＩＡＢ−ｄｏｎｏｒ側で固定的にスロットフォーマットを割り当てることも可能であるが、ＩＡＢ−ｎｏｄｅ側で自由度をある程度持たせて、スロットの構成の書き換えを行える仕組みが必要となる。そこで本実施形態では、スロットフォーマットの割り当ての際に、新たにＨａｒｄ／Ｓｏｆｔのコンセプトを導入する。Ｈａｒｄとは、ＩＡＢ−ｃｈｉｌｄ向けのＤＵで常に使えるリソースのことである。一方Ｓｏｆｔとは、ＩＡＢ−ｃｈｉｌｄ向けのＤＵでリソースが使えるかどうかは明示的及び／または暗示的にＩＡＢ−ｐａｒｅｎｔより制御されるリソースのことである。また、ＨａｒｄはＩＡＢ−ｎｏｄｅにて書き換え不能なリソースであり、ＳｏｆｔとはＩＡＢ−ｎｏｄｅにて書き換え可能なリソースであってもよい。
【００５３】
（２）周辺環境認知
本実施形態では、ＩＡＢ−ｎｏｄｅは、周辺環境認知を行うことで、動的にＩＡＢ−ｎｏｄｅにおけるスロットフォーマットの書き換えを実施する。特に本実施形態では、ＩＡＢ−ｎｏｄｅは、Ｓｏｆｔ（書き換え可能なスロット）として割り当てられたスロットについて、スロットフォーマットの書き換えが可能である。環境認知のためのメジャメント等はＩＡＢ−ｄｏｎｏｒよりＩＡＢ−ｎｏｄｅにコンフィギュアされてもよく、もしくはＩＡＢ−ｎｏｄｅにプリコンフィギュアされていてもよい。ＩＡＢ−ｄｏｎｏｒからのコンフィギュレーションは、例えばＲＲＣシグナリングを用いて設定される。ＩＡＢ−ｎｏｄｅは、測定ウィンドウ（Measurement  window）として、測定を行う測定間隔、測定幅、測定対象（測定対象帯域、測定対象のＩＡＢ−ｎｏｄｅ等）等を設定する。
【００５４】
周辺環境認知のためのシグナリングの送信周期や、送信トリガリングはＩＡＢ−ｄｏｎｏｒにより設定されてＩＡＢ−ｎｏｄｅに通知されてもよい。これらのＩＡＢ−ｄｏｎｏｒからのコンフィギュレーションはＲＲＣシグナリングを用いて設定される。例えば、ＩＡＢ−ｄｏｎｏｒがＩＡＢ−ｎｏｄｅに対して、他ＩＡＢ−ｎｏｄｅ向けのシグナリングのコンフィギュレーションを設定してもよい。
【００５５】
なお、Ｈａｒｄ割り当てにより書き換えが不可な場合であっても、ＩＡＢ−ｎｏｄｅは、ＩＡＢ−ｄｏｎｏｒ側に再設定リクエストを送ることで対応することも可能である。
【００５６】
ＩＡＢ−ｎｏｄｅは、周辺環境認知を行うときの情報入手リンクとして、ＩＡＢ−ｐａｒｅｎｔ（アップリンクで接続するＩＡＢ−ｎｏｄｅ）から得られる情報、ＩＡＢ−ｃｈｉｌｄ（ダウンリンクで接続するＩＡＢ−ｎｏｄｅ）から得られる情報、近隣のＩＡＢ（サイドリンクで接続するＩＡＢ−ｎｏｄｅ、または自局とリンクされていないＩＡＢ−ｎｏｄｅ）から得られる情報、周辺無線環境から得られる情報、などがあり得る。ＩＡＢ−ｎｏｄｅは、これらのリンクから入手する情報として、割り当てられたスロットフォーマット情報、現在使用しているスロットフォーマット情報、将来使用するスロットフォーマット情報（書き換え予定情報を含む）を入手しうる。
【００５７】
またＩＡＢ−ｎｏｄｅは、これらのリンクから入手する情報として、ＩＡＢ−ｎｏｄｅの位置情報、受信電力レベル、RSRP（Reference  Signals  Received  Power）、RSSI（Received  Signal  Strength  Indication）、RSRQ（Reference  Signal  Received  Quality）を入手しうる。またＩＡＢ−ｎｏｄｅは、これらのリンクから入手する情報として、電波の干渉レベル、無線周波数使用率（割り当てられた周波数リソースに対して、どれだけ割合でリソースを使っているか）を入手しうる。
【００５８】
またＩＡＢ−ｎｏｄｅは、これらのリンクから入手する情報として、In-band  emissionを考慮するために、周波数の使用箇所であるかどうか（すなわち、周波数リソースの位置）を入手しうる。またＩＡＢ−ｎｏｄｅは、これらのリンクから入手する情報として、リンクホップ数（ＩＡＢ−ｄｏｎｏｒから数えて何ホップ目のノードなのか）を入手しうる。
【００５９】
またＩＡＢ−ｎｏｄｅは、これらのリンクから入手する情報として、ビームフォーミングに関する情報を入手しうる。ビームフォーミングに関する情報としては、ビームフォーミングの方向や使用しているPrecoding、Rank  indicator情報、MIMOモード、アンテナ本数等がありうる。ＩＡＢ−ｎｏｄｅは、特にビームを用いている空間に関する情報を得るために、ビームフォーミングに関する情報を用いる。
【００６０】
またＩＡＢ−ｎｏｄｅは、これらのリンクから入手する情報として、他の通信制御装置での干渉の発生に関する情報、例えばＡＣＫ／ＮＡＣＫに関する情報を入手しうる。ＡＣＫ／ＮＡＣＫに関する情報は、ＡＣＫ／ＮＡＣＫの割合により、どれだけ干渉が発生しているかをＩＡＢ−ｎｏｄｅが認識するために用いられる。
【００６１】
またＩＡＢ−ｎｏｄｅは、これらのリンクから入手する情報として、ＩＡＢ−ｎｏｄｅのケイパビリティ（IAB-capability）情報を入手しうる。IAB-capability情報としては、例えば、空間多重（SDM）できる能力があるかどうか、周波数多重（FDM）できる能力があるかどうか、使用しているMIMOストリーミング数、余っているMIMOストリーミング数、バックホールリンクの太さ情報（帯域幅、キャパシティ、リダンダンシー、通信速度等）、アクセスリンクの太さ情報（帯域幅、リダンダンシー、キャパシティ、通信速度等）などがありうる。
【００６２】
またＩＡＢ−ｎｏｄｅは、これらのリンクから入手する情報として、通信しているトラフィック情報やパケット情報を入手しうる。通信しているトラフィック情報やパケット情報としては、例えば、優先度の情報やトラフィック量などがありうる。
【００６３】
（３）スロット書き換え
ＩＡＢ−ｎｏｄｅは、周辺環境認知を行って、設定されたスロットフォーマットの書き換えの必要が生じれば、スロットの書き換えを実行する。すなわちＩＡＢ−ｎｏｄｅは、必要に応じて、Ｓｏｆｔとして割り当てられたスロットをＤ／Ｕ／Ｓ／Ｆ／ＮＡのいずれかに書き換えを実施する。
【００６４】
ＩＡＢ−ｎｏｄｅは、スロットを書き換えると、書き換えた結果をＩＡＢ−ｄｏｎｏｒや、他のＩＡＢ−ｎｏｄｅに通知しても良い。ＩＡＢ−ｎｏｄｅは、スロットの書き換えをSemi-persistentに行ってもよい。つまりＩＡＢ−ｎｏｄｅは、有効期間を設定してＩＡＢ−ｄｏｎｏｒや、他のＩＡＢ−ｎｏｄｅに通知してもよい。
【００６５】
ＩＡＢ−ｎｏｄｅは、スロットを書き換える際に、ＤのスロットとＵのスロットとの比率に応じて書き換えるスロットを選択しても良い。例えば、Ｄのスロットの数の方が多ければ、ＩＡＢ−ｎｏｄｅは、書き換え可能なＤのスロットをＵのスロットに書き換えてもよい。ＩＡＢ−ｎｏｄｅは、スロットを書き換える際に、使用する周波数リソースを併せて変更してもよい。また、ＩＡＢ−ｎｏｄｅは、スロットを書き換える際に、ビームフォーミングの設定を併せて変更してもよい。
【００６６】
ＩＡＢ−ｎｏｄｅは、スロットを書き換える際に、リンクの優先度を考慮した書き換えを実行してもよい。例えばＩＡＢ−ｎｏｄｅは、必ず送らなければならない優先度の高い情報を用いて優先度を決定し、決定した優先度に応じてスロットの書き換えを実施してもよい。また例えば、ＩＡＢ−ｎｏｄｅは、他のＩＡＢ−ｎｏｄｅとの間でどちらを優先するかを決定し、その優先順位に基づいてスロットの書き換えを実施しても良い。また例えば、ＩＡＢ−ｎｏｄｅは、ハンドオーバーを実行したり、特定のプロシージャを実行したりする必要がある場合、それらの実行したい処理に基づいてスロットの書き換えを実施しても良い。
【００６７】
ＩＡＢ−ｎｏｄｅは、スロットを書き換える際に、トラフィックのＱｏＳによる書き換えを実行してもよい。またＩＡＢ−ｎｏｄｅは、スロットを書き換える際に、パケットエラーレートを下げるように書き換えを実行してもよい。またＩＡＢ−ｎｏｄｅは、スロットを書き換える際に、自身の干渉を最小化するように書き換えて模様書き換えを実行してもよい。またＩＡＢ−ｎｏｄｅは、スロットを書き換える際に、通信相手のＩＡＢ−ｎｏｄｅや端末装置への干渉を最小化するように書き換えを実行してもよい。またＩＡＢ−ｎｏｄｅは、スロットを書き換える際に、ネットワークのキャパシティを最大化するように書き換えを実行してもよい。
【００６８】
またＩＡＢ−ｎｏｄｅは、スロットを書き換える際に、バックホールリンク切り替えの用途で書き換えを実行してもよい。すなわちＩＡＢ−ｎｏｄｅは、複数のＩＡＢ−ｎｏｄｅとバックホールリンクとが接続されていた場合、どちらかのバックホールリンクを優先的に使用するように、リンク間でスロットを調整し、書き換えを実行してもよい。
【００６９】
図８は、本開示の実施の形態に係る通信制御装置１００の動作の概要を示す説明図である。図８に示したのは、ＩＡＢ−ｎｏｄｅが、ＩＡＢ−ｄｏｎｏｒに対してスロットフォーマットの再設定リクエスト（Slot  format  reconfiguration  request）を送信する場合の概要である。
【００７０】
ＩＡＢ−ｎｏｄｅはまず環境認知を実行し、スロットフォーマットの書き換えが必要かどうか判断する。環境認知の実行の結果、もし書き換えが必要であった場合、ＩＡＢ−ｎｏｄｅは、スロットフォーマットの書き換えで対応可能であればそのままスロットフォーマットの書き換えを実施する。
【００７１】
一方、スロットフォーマットの書き換えだけでは対応が不十分と判断した場合、ＩＡＢ−ｎｏｄｅは、ＩＡＢ−ｄｏｎｏｒ（親でもよく、複数の親の代表者でもいい）にSlot  format  reconfiguration  requestを送信する。その後、上記ＩＡＢ−ｄｏｎｏｒでスロットフォーマットのアップデートが行われ、ＩＡＢ  ｎｏｄｅにスロットフォーマットの再割り当てが実施される。
【００７２】
図９Ａ、９Ｂは、本開示の実施の形態に係る動作例を示す流れ図である。まず、ＩＡＢ−ｄｏｎｏｒであるノードはスロットフォーマットを決定し（ステップＳ１０１）、決定したスロットフォーマットをＩＡＢ−Ｐａｒｅｎｔ、ＩＡＢ−ｎｏｄｅ、ＩＡＢ−ｃｈｉｌｄ、Ｎｅｉｇｈｂｏｒ  ＩＡＢ−ｎｏｄｅに通知する（ステップＳ１０２、Ｓ１０３、Ｓ１０４、Ｓ１０５）。
【００７３】
ＩＡＢ−ｄｏｎｏｒからスロットフォーマットを通知されたＩＡＢ−Ｐａｒｅｎｔ、ＩＡＢ−ｎｏｄｅ、ＩＡＢ−ｃｈｉｌｄは、それぞれ、通知に従ってスロットフォーマットを設定する（ステップＳ１０６、Ｓ１０７、Ｓ１０８）。
【００７４】
その後、ＩＡＢ−ｎｏｄｅは周辺の無線環境を測定する（ステップＳ１０９）。またＩＡＢ−ｎｏｄｅは、ＩＡＢ−Ｐａｒｅｎｔ、ＩＡＢ−ｃｈｉｌｄ、Ｎｅｉｇｈｂｏｒ  ＩＡＢ−ｎｏｄｅから、スロットフォーマットの使用状況の通知を受ける（ステップＳ１１０、Ｓ１１１、Ｓ１１２）。そして、ＩＡＢ−ｎｏｄｅは周辺の無線環境の測定結果や、スロットフォーマットの使用状況の通知に基づいてスロットフォーマットの書き換え判定を行う（ステップＳ１１３）。
【００７５】
そして、スロットフォーマットの書き換えだけでは対応が不十分と判断すると、ＩＡＢ−ｎｏｄｅはＩＡＢ−ｄｏｎｏｒに対し、スロットフォーマットの再設定リクエスト（Slot  format  reconfiguration  request）を送信する（ステップＳ１１４）。
【００７６】
ＩＡＢ−ｄｏｎｏｒは、ＩＡＢ−ｎｏｄｅからのスロットフォーマットの再設定リクエストに基づいて、スロットフォーマットを再設定し（ステップＳ１１５）、再設定したスロットフォーマットをＩＡＢ−Ｐａｒｅｎｔ、ＩＡＢ−ｎｏｄｅ、ＩＡＢ−ｃｈｉｌｄ、Ｎｅｉｇｈｂｏｒ  ＩＡＢ−ｎｏｄｅに通知する（ステップＳ１１６、Ｓ１１７、Ｓ１１８、Ｓ１１９）。
【００７７】
ＩＡＢ−ｄｏｎｏｒからスロットフォーマットを通知されたＩＡＢ−Ｐａｒｅｎｔ、ＩＡＢ−ｎｏｄｅ、ＩＡＢ−ｃｈｉｌｄは、それぞれ、通知に従ってスロットフォーマットを設定する（ステップＳ１２０、Ｓ１２１、Ｓ１２２）。
【００７８】
その後、ＩＡＢ−ｎｏｄｅは周辺の無線環境を測定する（ステップＳ１２３）。またＩＡＢ−ｎｏｄｅは、ＩＡＢ−Ｐａｒｅｎｔ、ＩＡＢ−ｃｈｉｌｄ、Ｎｅｉｇｈｂｏｒ  ＩＡＢ−ｎｏｄｅから、スロットフォーマットの使用状況の通知を受ける（ステップＳ１２４、Ｓ１２５、Ｓ１２６）。そして、ＩＡＢ−ｎｏｄｅは周辺の無線環境の測定結果や、スロットフォーマットの使用状況の通知に基づいてスロットフォーマットの書き換え判定を行う（ステップＳ１２７）。
【００７９】
そして、スロットフォーマットの書き換えだけで対応が十分と判断すると、ＩＡＢ−ｎｏｄｅは割り当てられたスロットフォーマットの書き換えを実施する（ステップＳ１２８）。この際、ＩＡＢ−ｎｏｄｅはＳｏｆｔ（書き換え可能なスロット）として割り当てられたスロットについて、スロットフォーマットの書き換えを実行する。
【００８０】
なお図９Ａ、９Ｂに示した例では、環境認知として、ＩＡＢ−ｎｏｄｅ周辺の無線環境測定並びに親ＩＡＢ−ｎｏｄｅ、子ＩＡＢ−ｎｏｄｅ及び周辺ＩＡＢ−ｎｏｄｅのスロットフォーマットの使用状況を得ているが、これは一例であり、ＩＡＢ−ｎｏｄｅは、上述したようにその他の情報を得ても良い。
【００８１】
図１０は、本開示の実施の形態に係る通信制御装置１００の動作例を示す流れ図である。ここでは、通信制御装置１００がＩＡＢ−ｎｏｄｅとして動作する場合の動作例を示す。
【００８２】
ＩＡＢ−ｎｏｄｅはまず環境認知を実行し（ステップＳ１３１）、スロットフォーマットの書き換えで対応が可能かどうか判断する（ステップＳ１３２）。ステップＳ１３２の判断の結果、スロットフォーマットの書き換えで対応が可能である場合（ステップＳ１３２、Ｙｅｓ）、ＩＡＢ−ｎｏｄｅは、スロットフォーマットの書き換えを実施する（ステップＳ１３３）。
【００８３】
一方、スロットフォーマットの書き換えだけでは対応が不可能と判断した場合（ステップＳ１３２、Ｎｏ）、ＩＡＢ−ｎｏｄｅは、ＩＡＢ−ｄｏｎｏｒ（親でもよく、複数の親の代表者でもいい）にSlot  format  reconfiguration  requestを送信する（ステップＳ１３４）。その後、上記ＩＡＢ−ｄｏｎｏｒでスロットフォーマットのアップデートが行われ、ＩＡＢ  ｎｏｄｅにスロットフォーマットの再割り当てが実施される（ステップＳ１３５）。
【００８４】
＜２．応用例＞
本開示に係る技術は、様々な製品へ応用可能である。
【００８５】
例えば、通信制御装置１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、通信制御装置１００は、ＮｏｄｅＢ又はＢＴＳ（Base  Transceiver  Station）などの他の種類の基地局として実現されてもよい。通信制御装置１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、通信制御装置１００として動作してもよい。
【００８６】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【００８７】
［２．１．基地局に関する応用例］
（第１の応用例）
図１１は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【００８８】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１１に示したように複数のアンテナ８１０を有し、複数のアンテナ８１０は、例えばｅＮＢ８００が使用する複数の周波数帯域にそれぞれ対応してもよい。なお、図１１にはｅＮＢ８００が複数のアンテナ８１０を有する例を示したが、ｅＮＢ８００は単一のアンテナ８１０を有してもよい。
【００８９】
基地局装置８２０は、コントローラ８２１、メモリ８２２、ネットワークインタフェース８２３及び無線通信インタフェース８２５を備える。
【００９０】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【００９１】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【００９２】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【００９３】
無線通信インタフェース８２５は、図１１に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１１に示したように複数のＲＦ回路８２７を含み、複数のＲＦ回路８２７は、例えば複数のアンテナ素子にそれぞれ対応してもよい。なお、図１１には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【００９４】
図１１に示したｅＮＢ８００において、図５を参照して説明した制御部１５０に含まれる１つ以上の構成要素（設定部１５１、及び／又は通信制御部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【００９５】
また、図１１に示したｅＮＢ８００において、図５を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【００９６】
（第２の応用例）
図１２は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【００９７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１２に示したように複数のアンテナ８４０を有し、複数のアンテナ８４０は、例えばｅＮＢ８３０が使用する複数の周波数帯域にそれぞれ対応してもよい。なお、図１２にはｅＮＢ８３０が複数のアンテナ８４０を有する例を示したが、ｅＮＢ８３０は単一のアンテナ８４０を有してもよい。
【００９８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１９を参照して説明したコントローラ８２１、メモリ８２２及びネットワークインタフェース８２３と同様のものである。
【００９９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１１を参照して説明したＢＢプロセッサ８２６と同様のものである。無線通信インタフェース８５５は、図１２に示したように複数のＢＢプロセッサ８５６を含み、複数のＢＢプロセッサ８５６は、例えばｅＮＢ８３０が使用する複数の周波数帯域にそれぞれ対応してもよい。なお、図１２には無線通信インタフェース８５５が複数のＢＢプロセッサ８５６を含む例を示したが、無線通信インタフェース８５５は単一のＢＢプロセッサ８５６を含んでもよい。
【０１００】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１０１】
また、ＲＲＨ８６０は、接続インタフェース８６１及び無線通信インタフェース８６３を備える。
【０１０２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１０３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１２に示したように複数のＲＦ回路８６４を含み、複数のＲＦ回路８６４は、例えば複数のアンテナ素子にそれぞれ対応してもよい。なお、図１２には無線通信インタフェース８６３が複数のＲＦ回路８６４を含む例を示したが、無線通信インタフェース８６３は単一のＲＦ回路８６４を含んでもよい。
【０１０４】
図１２に示したｅＮＢ８３０において、図５を参照して説明した制御部１５０に含まれる１つ以上の構成要素（設定部１５１、及び／又は通信制御部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１０５】
また、図１２に示したｅＮＢ８３０において、例えば、図５を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１０６】
［２．２．端末装置に関する応用例］
（第１の応用例）
図１３は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１０７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１０８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１０９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１３に示したように複数のＢＢプロセッサ９１３及び複数のＲＦ回路９１４を含んでもよい。なお、図１３には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１１０】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１１１】
アンテナスイッチ９１５の各々は、無線通信インタフェース９１２に含まれる複数の回路（例えば、異なる無線通信方式のための回路）の間でアンテナ９１６の接続先を切り替える。
【０１１２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１３に示したように複数のアンテナ９１６を有してもよい。なお、図１３にはスマートフォン９００が複数のアンテナ９１６を有する例を示したが、スマートフォン９００は単一のアンテナ９１６を有してもよい。
【０１１３】
さらに、スマートフォン９００は、無線通信方式ごとにアンテナ９１６を備えてもよい。その場合に、アンテナスイッチ９１５は、スマートフォン９００の構成から省略されてもよい。
【０１１４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１３に示したスマートフォン９００の各ブロックへ電力を供給する。補助コントローラ９１９は、例えば、スリープモードにおいて、スマートフォン９００の必要最低限の機能を動作させる。
【０１１５】
図１３に示したスマートフォン９００において、図６を参照して説明した制御部２４０に含まれる１つ以上の構成要素（取得部２４１及び／又は通信制御部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１１６】
また、図１３に示したスマートフォン９００において、例えば、図６を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０１１７】
（第２の応用例）
図１４は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１１８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１１９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１２０】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１２１】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１４に示したように複数のＢＢプロセッサ９３４及び複数のＲＦ回路９３５を含んでもよい。なお、図１４には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１２２】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１２３】
アンテナスイッチ９３６の各々は、無線通信インタフェース９３３に含まれる複数の回路（例えば、異なる無線通信方式のための回路）の間でアンテナ９３７の接続先を切り替える。
【０１２４】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１４に示したように複数のアンテナ９３７を有してもよい。なお、図１４にはカーナビゲーション装置９２０が複数のアンテナ９３７を有する例を示したが、カーナビゲーション装置９２０は単一のアンテナ９３７を有してもよい。
【０１２５】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１２６】
バッテリー９３８は、図中に破線で部分的に示した給電ラインを介して、図１４に示したカーナビゲーション装置９２０の各ブロックへ電力を供給する。また、バッテリー９３８は、車両側から給電される電力を蓄積する。
【０１２７】
図１４に示したカーナビゲーション装置９２０において、図６を参照して説明した制御部２４０に含まれる１つ以上の構成要素（取得部２４１及び／又は通信制御部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１２８】
また、図１４に示したカーナビゲーション装置９２０において、例えば、図６を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０１２９】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１３０】
＜３．まとめ＞
以上説明したように本開示の実施の形態によれば、通信をリレーする端末がモビリティを有する場合においてローカルの環境の変動を考慮したリソースを効率的に割り当てることが可能な通信制御装置１００が提供される。また本開示の実施の形態によれば、通信をリレーする端末がモビリティを有する場合においてローカルの環境の変動を考慮し、スロットフォーマットの書き換えを実施することが可能な通信制御装置１００が提供される。
【０１３１】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【０１３２】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【０１３３】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１３４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１３５】
なお、以下のような構成も本開示の技術的範囲に属する。
（１）
他の通信制御装置からスロットの設定及び前記設定の中で書き換え可能なスロットに関する情報、並びに、自局の周囲の電波環境に関する情報を取得する取得部と、
前記電波環境に関する情報に基づいて、前記書き換え可能なスロットの中から書き換えるスロットを選択して書き換える設定部と、
前記設定部が書き換えたスロットに基づいて通信を実行する通信制御部と、
を備える、通信制御装置。
（２）
前記取得部は、前記電波環境に関する情報として、自局がアップリンクで通信する他の通信制御装置に割り当てられたスロットの設定を取得する、前記（１）に記載の通信制御装置。
（３）
前記取得部は、前記電波環境に関する情報として、自局がダウンリンクで通信する他の通信制御装置に割り当てられたスロットの設定を取得する、前記（１）に記載の通信制御装置。
（４）
前記取得部は、前記電波環境に関する情報として、自局がサイドリンクで通信する他の通信制御装置に割り当てられたスロットの設定を取得する、前記（１）に記載の通信制御装置。
（５）
前記取得部は、前記電波環境に関する情報として、自局がリンクしていない近隣の他の通信制御装置に割り当てられたスロットの設定を取得する、前記（１）に記載の通信制御装置。
（６）
前記取得部は、前記電波環境に関する情報として、他の通信制御装置の位置情報を取得する、前記（１）〜（５）のいずれかに記載の通信制御装置。
（７）
前記取得部は、前記電波環境に関する情報として、他の通信制御装置の通信リソースの使用率の情報を取得する、前記（１）〜（５）のいずれかに記載の通信制御装置。
（８）
前記取得部は、前記電波環境に関する情報として、他の通信制御装置のビームフォーミングに関する情報を取得する、前記（１）〜（５）のいずれかに記載の通信制御装置。
（９）
前記取得部は、前記電波環境に関する情報として、他の通信制御装置での干渉の発生に関する情報を取得する、前記（１）〜（５）のいずれかに記載の通信制御装置。
（１０）
前記干渉の発生に関する情報は、ＡＣＫ及びＮＡＣＫの発生割合に関する情報である、前記（９）に記載の通信制御装置。
（１１）
前記取得部は、前記電波環境に関する情報として、他の通信制御装置の能力に関する情報を取得する、前記（１）〜（１０）のいずれかに記載の通信制御装置。
（１２）
前記設定部は、他の装置とのリンクの優先度を考慮して書き換えるスロットを選択する、前記（１）〜（１１）のいずれかに記載の通信制御装置。
（１３）
前記設定部は、トラフィックの品質を考慮して書き換えるスロットを選択する、前記（１）〜（１１）のいずれかに記載の通信制御装置。
（１４）
前記設定部は、パケットのエラーレートを下げるよう書き換えるスロットを選択する、前記（１）〜（１１）のいずれかに記載の通信制御装置。
（１５）
前記設定部は、自局の干渉を最小化するよう書き換えるスロットを選択する、前記（１）〜（１１）のいずれかに記載の通信制御装置。
（１６）
前記設定部は、通信相手への干渉を最小化するよう書き換えるスロットを選択する、前記（１）〜（１１）のいずれかに記載の通信制御装置。
（１７）
前記通信制御部は、書き換えたスロットに関する情報を他の装置へ通知する制御を行う、前記（１）〜（１６）のいずれかに記載の通信制御装置。
（１８）
プロセッサが、
他の通信制御装置からスロットの設定及び前記設定の中で書き換え可能なスロットに関する情報、並びに、自局の周囲の電波環境に関する情報を取得することと、
前記電波環境に関する情報に基づいて、前記書き換え可能なスロットの中から書き換えるスロットを選択して書き換えることと、
書き換えられた前記スロットに基づいて通信を実行することと、
を含む、通信制御方法。
（１９）
コンピュータに、
他の通信制御装置からスロットの設定及び前記設定の中で書き換え可能なスロットに関する情報、並びに、自局の周囲の電波環境に関する情報を取得することと、
前記電波環境に関する情報に基づいて、前記書き換え可能なスロットの中から書き換えるスロットを選択して書き換えることと、
書き換えられた前記スロットに基づいて通信を実行することと、
を実行させる、コンピュータプログラム。
【符号の説明】
【０１３６】
１００    通信制御装置
２００    端末装置
【図１】
2020144944.tif 000003
【図２】
2020144944.tif 000004
【図３】
2020144944.tif 000005
【図４】
2020144944.tif 000006
【図５】
2020144944.tif 000007
【図６】
2020144944.tif 000008
【図７】
2020144944.tif 000009
【図８】
2020144944.tif 000010
【図９Ａ】
2020144944.tif 000011
【図９Ｂ】
2020144944.tif 000012
【図１０】
2020144944.tif 000013
【図１１】
2020144944.tif 000014
【図１２】
2020144944.tif 000015
【図１３】
2020144944.tif 000016
【図１４】
2020144944.tif 000017
【国際調査報告】
2020144944.tif 000018
2020144944.tif 000019
2020144944.tif 000020
2020144944.tif 000021
2020144944.tif 000022